(57)【要約】【課題】帽子を被った人がハンズフリーで自分が見る方向を照明することを可能とし、しかも、帽子を被った人がいずれの方向を見ても常に同じ状態の照明光が照射されてしまうことによる不都合を解消する。【解決手段】帽子には、照明装置が装着される。この照明装置は、帽子の傾斜状態に応じた信号を得る水銀スイッチ５，６と、前記帽子を被った人が手元付近を見る際の前記帽子の第１の傾斜状態と前記帽子を被った人が前記第１の状態よりも上側の所定の方向を見る際の前記帽子の第２の傾斜状態とで、前記発光部から互いに異なる状態の照明光が照射されるようにＬＥＤ３，４を作動させる。【選択図】図４
2008210547.tif 000002
【特許請求の範囲】
【請求項１】
帽子に装着される照明装置であって、
前記帽子の傾斜状態に応じた信号を得る検出手段と、
発光部と、
前記検出手段からの信号に基づいて、前記帽子を被った人が手元付近を見る際の前記帽子の第１の傾斜状態と前記帽子を被った人が前記第１の状態よりも上側の所定の方向を見る際の前記帽子の第２の傾斜状態とで、前記発光部から互いに異なる状態の照明光が照射されるように前記発光部を作動させる手段と、
を備えたことを特徴とする照明装置。
【請求項２】
前記所定の方向は、前記帽子を被った人に対面する対面者を照射する方向であり、
前記対面者が前記第２の傾斜状態での前記照明光の照射を受けて感じる眩しさが、前記対面者が前記第１の傾斜状態での前記照明光の照射を受けると仮定した場合に感じる眩しさに比べて、低減されるように、前記第１の傾斜状態での照明光の状態と前記第２の傾斜状態での照明光の状態とが異なる、
ことを特徴とする請求項１記載の照明装置。
【請求項３】
請求項１又は２記載の照明装置が実質的に取り外し不能に又は着脱自在に装着されたことを特徴とする帽子。
【発明の詳細な説明】
【技術分野】
【０００１】
本発明は、照明装置及びこれを用いた帽子に関するものである。
【背景技術】
【０００２】
従来から、前方に照明光を照射するように照明灯が装着された帽子が提供されている（下記特許文献１，２）。
【０００３】
このような帽子によれば、当該帽子を被った人は、夜間などにおいて、ハンズフリーで自分が見る方向を照明することができ、非常に便利である。
【特許文献１】特開２００２−３６７４０２号公報
【特許文献２】実用新案登録第３１０４８２５号公報
【発明の開示】
【発明が解決しようとする課題】
【０００４】
しかしながら、前記従来の帽子では、帽子を被った人がいずれの方向を見ても常に同じ状態の照明光が照射されるだけであった。
【０００５】
したがって、例えば、夜間において、当該帽子を被った人が対面者と対面しながら手帳にメモを取るような場合、筆記時に手元を見るときも対面者の方を向いて対面者の顔を見るときも、常に同じ照明光が照射されていた。このため、筆記に適した照明光を発する照明灯を用いると、帽子を被った人が対面者を見ると対面者にとっては照明光が非常に眩しくなってしまい、対面者に不快感を与えてしまう。一方、対面者がさほど眩しさを感じないようなソフトな照明光を照射する照明灯を用いると、筆記時には光量が不足するなどの事態を招いてしまう。
【０００６】
帽子を被った人がいずれの方向を見ても常に同じ状態の照明光が照射されることによる不都合は、前述したような例に限定されるものではない。
【０００７】
本発明は、このような事情に鑑みてなされたもので、帽子を被った人がハンズフリーで自分が見る方向を照明することができ、しかも、帽子を被った人がいずれの方向を見ても常に同じ状態の照明光が照射されてしまうことによる不都合を解消することができる、照明装置及びこれを用いた帽子を提供することを目的とする。
【課題を解決するための手段】
【０００８】
前記課題を解決するため、本発明の第１の態様による照明装置は、帽子に装着される照明装置であって、前記帽子の傾斜状態に応じた信号を得る検出手段と、発光部と、前記検出手段からの信号に基づいて、前記帽子を被った人が手元付近を見る際の前記帽子の第１の傾斜状態と前記帽子を被った人が前記第１の状態よりも上側の所定の方向を見る際の前記帽子の第２の傾斜状態とで、前記発光部から互いに異なる状態の照明光が照射されるように前記発光部を作動させる手段と、を備えたものである。
【０００９】
この第１の態様によれば、前記第１の傾斜状態と前記第２の傾斜状態とで異なる状態の照明光が発光部から発せられるので、照明光を照射する各方向に合わせてそれぞれ適切な照明を行うことができる。
【００１０】
本発明の第２の態様による照明装置は、前記第１の態様において、前記所定の方向は、前記帽子を被った人に対面する対面者を照射する方向であり、前記対面者が前記第２の傾斜状態での前記照明光の照射を受けて感じる眩しさが、前記対面者が前記第１の傾斜状態での前記照明光の照射を受けると仮定した場合に感じる眩しさに比べて、低減されるように、前記第１の傾斜状態での照明光の状態と前記第２の傾斜状態での照明光の状態とが異なるものである。
【００１１】
この第２の態様によれば、夜間において、当該帽子を被った人が対面者と対面しながら手帳にメモを取るような場合、筆記時に手元を見るときには筆記に適した照明を行う一方、当該帽子を被った人が顔を上げて対面者を見るときにはより眩しさを感じないソフトな照明光を照射することができる。このように、第２の態様によれば、筆記時に適切な照明を行いつつ、対面者を照明するときの当該対面者の不快感を低減することができる。
【００１２】
なお、前記第１の態様は、前記第２の態様に限定されるものではない。前記第１の態様では、例えば、釣り人が手元を見て針にエサを付ける場合と釣り竿を振り上げたときに竿先を見る場合とで、それぞれに適した互いに異なる照明光を照射することも可能である。
【００１３】
本発明の第３の態様による帽子は、前記第１又は第２の態様による照明装置が実質的に取り外し不能に又は着脱自在に装着されたものである。
【発明の効果】
【００１４】
帽子を被った人がハンズフリーで自分が見る方向を照明することができ、しかも、帽子を被った人がいずれの方向を見ても常に同じ状態の照明光が照射されてしまうことによる不都合を解消することができる、照明装置及びこれを用いた帽子を提供することができる。
【発明を実施するための最良の形態】
【００１５】
以下、本発明による照明装置及びこれを用いた帽子について、図面を参照して説明する。
【００１６】
［第１の実施の形態］
【００１７】
図１は、本発明の第１の実施の形態による帽子１を模式的に示す概略左側面図である。図２は、図１に示す帽子１における発光部２が取り付けられたひさし１ｂの先端側付近を示す図であり、図２（ａ）は発光部２の折り畳み状態を示し、図２（ｂ）は発光部２の突出状態を示している。図３は、図２（ｂ）中のＡ矢視図である。ただし、図３では、ブラケット１１等の図示は省略している。図４は、図１に示す帽子１に装着された照明装置を示す電気回路図である。
【００１８】
本実施の形態による帽子１は、図１に示すように、本体１ａとひさし１ｂとを有している。この帽子１には、照明装置が実質的に取り外し不能に装着されている。
【００１９】
この照明装置は、図４に示すように、２つのＬＥＤ３，４を有する発光部２と、帽子１の傾斜状態に応じた信号を得る検出手段としての２つの水銀スイッチ５，６と、ボタン電池等の電池７と、電源スイッチとして作用するマイクロスイッチ８と、ＬＥＤ３，４に流れる電流をそれぞれ制限する抵抗９，１０とを備え、これらが図４に示すように配線されて構成されている。
【００２０】
本実施の形態では、発光部２は、ひさし１ｂの先端側部分の下側に設けられている。発光部１ｂは、ＬＥＤ３，４の他に、ひさし１ｂに固定されたブラケット１１と、ＬＥＤ３，４を支持するとともにブラケット１１に軸支されて図２（ａ）に示す折り畳み状態と図２（ｂ）に示す突出状態とにし得る支持体１２と、を有している。図２及び図３には示していないが、支持体１２には、図２（ａ）に示す折り畳み状態でオフするとともに図２（ｂ）に示す突出状態でオンするマイクロスイッチ８が、設けられている。
【００２１】
本実施の形態では、ＬＥＤ３として、帽子１を被った人が筆記時に手元を見るのに適した照明光を発するものが選定されている。例えば、ＬＥＤ３として、筆記に必要な範囲のみを照射するように照射角度が狭く、かつ、光度が十分に大きい照明光を照射するＬＥＤが、用いられている。一方、ＬＥＤ４としては、帽子１を被った人がその人に対面する対面者の顔を認識できるように前記対面者を照射するとともに、前記対面者がＬＥＤ４の照明光を受けて感じる眩しさが、前記対面者がＬＥＤ３の照明光を受けると仮定した場合に感じる眩しさに比べて、低減されるような照明光を照射するものが、選定されている。例えば、ＬＥＤ４として、ＬＥＤ３に比べて、照射角度が広くて光度が低く、ソフトな照明光を照射するものが用いられている。もっとも、ＬＥＤ２，３として同じ特性を持ったＬＥＤを用いても、それら前部に、異なるレンズを設けたり、ＬＥＤ３の前部にのみ散光板等を設けてもよい。
【００２２】
電池７は、図１に示すように帽子１の本体１ａの前部の内側に設けられた電池ボックス１３内に収容されている。
【００２３】
水銀スイッチ５は、図面には示していないが、図１に示すように帽子１の本体１ａの左側部に設けられた第１の角度調整部材１４の内側に設けられ、第１の角度調整部材１４を回動させることで、水銀スイッチ５の帽子１に対する図１中の紙面に垂直な軸回りの傾斜角度を調整し得るようになっている。同様に、水銀スイッチ６は、図面には示していないが、帽子１の本体１ａの右側部に設けられた第２の角度調整部材（図示せず）の内側に設けられ、第２の角度調整部材を回動させることで、水銀スイッチ６の帽子１に対する図１中の紙面に垂直な軸回りの傾斜角度を調整し得るようになっている。もっとも、このような角度調整機構を採用せずに、帽子１に対する水銀スイッチ５，６の角度を固定しておいてもよい。
【００２４】
水銀スイッチ５は、第１の角度調整部材１４で設定した基準角度に対して俯角側でオンする一方、当該基準角度に対して仰角側でオフするように、設置されている。これとは逆に、水銀スイッチ６は、第２の角度調整部材で設定した基準角度に対して仰角側でオンする一方、当該基準角度に対して俯角側でオフするように、設置されている。
【００２５】
そして、本実施の形態では、水銀スイッチ５，６の各基準角度が適宜設定されることで、帽子１を被った人が手元付近を見る際の帽子１の第１の傾斜状態では、水銀スイッチ５がオンするとともに水銀スイッチ６がオフする一方、帽子１が被った人が前記第１の状態よりも上側の所定の方向（本実施の形態では、帽子１が被った人に対面する対面者を照射する方向）を見る際の前記帽子の第２の傾斜状態では、水銀スイッチ５がオフするとともに水銀スイッチ６がオンするように、設定される。図４に示すように、水銀スイッチ５がオンするとＬＥＤ３が点灯し、水銀スイッチ６がオンするとＬＥＤ４が点灯するように、配線されている。なお、本実施の形態では、図４に示す電気的な接続関係を実現するための配線は、帽子１の内部に設けられているが、図１ではその図示は省略している。
【００２６】
本実施の形態によれば、照明を要しない場合は、図２（ａ）に示すように、発光部２を折り畳んでおく。この場合、マイクロスイッチ８がオフになるので、水銀スイッチ５，６のオン・オフ状態と無関係に、ＬＥＤ３，４が点灯することはない。
【００２７】
夜間等において照明を要する場合には、図２（ｂ）に示すように、発光部２を下方に突出させる。この場合、マイクロスイッチ８がオンするので、ＬＥＤ３，４は点灯可能となり、それらの点灯状態は水銀スイッチ５，６のオン・オフ状態に依存する。そして、帽子１を被った人が筆記時に手元付近を見ると、水銀スイッチ５がオンする一方水銀スイッチ６がオフするので、ＬＥＤ３のみが点灯し、ＬＥＤ３によって筆記に適した照明がハンズフリーで行われる。これに対し、帽子１を被った人が対面者を見ると、水銀スイッチ５がオフする一方水銀スイッチ６がオンするので、ＬＥＤ４のみが点灯し、ＬＥＤ４によって対面者に眩しさをさほど感じさせないようなソフトな照明がハンズフリーで行われる。
【００２８】
したがって、帽子１を被った人が、対面者と話しをしながらメモを取る際などにおいて、手元を見るときと対面者を見るときとでそれぞれの状況に合わせた最適化された照明が、自動的にハンズフリーで行われる。このため、本実施の形態によれば、帽子を被った人がいずれの方向を見ても常に同じ状態の照明光が照射されてしまうことによる不都合を解消することができる。
【００２９】
本実施の形態では、帽子１の傾斜状態に応じた信号を得る検出手段として２つの水銀スイッチ５，６が用いられていたが、本発明では、検出手段としては任意の角度センサを用いることができる。
【００３０】
また、例えば、図５に示すように、リレー２１を用いれば、前記検出手段として水銀スイッチ５のみを用い、水銀スイッチ６を除去してもよい。図５において、２１ａはリレー２１のコイル部、２１ｂはコイル部２１ａに通電されているときにのみ閉じるリレー２１の常開接点、２１ｃはコイル部２１ａに通電されているときにのみ開くリレー２１の常閉接点である。図５は、前記第１の実施の形態を変形した変形例による照明装置を示す電気回路図である。図５において、図４中の要素と同一又は対応する要素には同一符号を付し、その重複する説明は省略する。
【００３１】
なお、本実施の形態では、前述した照明装置は実質的に取り外し不能に帽子１に設けられているが、発光部２、電池ボックス１３及び水銀スイッチ５，６などを帽子１に対して着脱自在に設けてもよい。この場合、その着脱構造としては、周知の種々の構造を採用することができる。これらの点は、後述する第２の実施の形態についても同様である。
【００３２】
［第２の実施の形態］
【００３３】
図６は、本発明の第２の実施の形態による帽子１を模式的に示す概略左側面図であり、図６（ａ）に示す状態と図６（ｂ）に示す状態とでは帽子１に対する発光部２の照射方向の設定が異なっている。図７は、図６（ａ）中のＢ矢視図である。図８は、図６に示す帽子１に装着された照明装置を示す電気回路図である。図６乃至図７において、図１乃至図４中の要素と同一又は対応する要素には同一符号を付し、その重複する説明は省略する。本実施の形態が前記第１の実施の形態と異なる所は、以下に説明する点のみである。
【００３４】
本実施の形態では、電池ボックス１３は、帽子１の本体１ａの後部に設けられている。電池ボックス１３には、図４中のマイクロスイッチ８に代えて、手動の電源スイッチ３１が設けられている。
【００３５】
本実施の形態では、発光部２は、図６に示すように、帽子１の本体１ａの前部に設けられている。また、発光部２は、図７に示すように、１つの筆記時の手元照明用のＬＥＤ３とその両側に配置された２つの対面者照明用のＬＥＤ４を有し、これらが支持体３２に設けられている。２つのＬＥＤ４は、全体として、帽子１を被った人がその人に対面する対面者の顔を認識できるように前記対面者を照射するとともに、前記対面者がＬＥＤ４の照明光を受けて感じる眩しさが、前記対面者がＬＥＤ３の照明光を受けると仮定した場合に感じる眩しさに比べて、低減されるような照明光を照射するようになっている。
【００３６】
本実施の形態では、発光部２は、帽子１の本体１ａに固定された固定板３３と、固定板３３に対して支持体３２を複数段の停止位置で停止し得るように回動可能に支持するクリックストップ機構３４と、を有している。本実施の形態では、このクリックストップ機構３４によって、帽子１に対する発光部２の照射方向を調整し得るようになっている。もっとも、他の照射方向調整機構を採用してもよいし、照射方向調整機構は必ずしも採用しなくてもよい。
【００３７】
本実施の形態によっても、前記第１の実施の形態と同様の利点が得られる。また、本実施の形態によれば、クリックストップ機構３４が採用されているので、使用者の帽子１の被り方に応じて、発光部２の照射方向を調整することができ、好ましい。
【００３８】
なお、発光部２の配置等は、前述した第１及び第２の実施の形態の例に限定されるものではない。例えば、ひさし１ｂの芯材としてポリカーボネートやアクリル等の導光板を用い、その上下の面に反射材を配置するか反射層を形成し、ひさし１ｂの根元部分にＬＥＤ３，４をそれぞれ必要な数だけ設けて、ＬＥＤ３，４からの照明光が前記導光板にガイドされてひさし１ｂの先端部から外部へ出射するように構成してもよい。
【００３９】
［第３の実施の形態］
【００４０】
図９は、本発明の第３の実施の形態による帽子１及びこれに装着される照明装置４０を模式的に示す図である。図９（ａ）は本実施の形態による帽子１を模式的に示す概略左側面図、図９（ｂ）は図９（ａ）中の照明装置をに示す拡大概略斜視図である。図９において、図６乃至図８中の要素と同一又は対応する要素には同一符号を付し、その重複する説明は省略する。本実施の形態が前記第２の実施の形態と異なる所は、以下に説明する点のみである。
【００４１】
本実施の形態では、照明装置４０の全ての構成要素が１つの筐体４１に集約して設けられている。本実施の形態では、発光部は、２つの筆記時の手元照明用のＬＥＤ３と２つの対面者照明用のＬＥＤ４から構成されている。水銀スイッチ５，６は、筐体４１の両側部に設けられ、その傾斜角度を調整し得るようになっている。この照明装置４０の筐体４１内には、デジタルスチルカメラ等のカメラが内蔵されている。図９（ｂ）中の５１はこのカメラの撮像レンズを示している。このカメラは、照明装置４０の電源である電池７によって作動し、図示しない無線によるリモコンからのシャッター指示によって、シャッターが切れるようになっている。もっとも、本発明では、照明装置４０にこのようなカメラを設けなくてもよいことは、言うまでもない。
【００４２】
筐体４１の上面にはマジックファスナ４２が設けられ、このマジックファスナ４２を、帽子１のひさし１ｂの先端側の下面に設けられたマジックファスナ（図示せず）に係合させることで、照明装置４０を帽子１に着脱自在に装着し得るようになっている。もっとも、照明装置４０の帽子１への取り付け手段は、マジックファスナに限定されるものではない。
【００４３】
本実施の形態によれば、前記第１の実施の形態と同様の利点が得られる他、帽子１にはマジックファスナを設ければよいだけであるので、既存の帽子１にも極めて容易に照明装置４０を装着することができるという利点も得られる。
【００４４】
［第４の実施の形態］
【００４５】
図１０は、本発明の第４の実施の形態による帽子に装着された照明装置を示す電気回路図である。図１０において、図８中の要素と同一又は対応する要素には同一符号を付し、その重複する説明は省略する。
【００４６】
本実施の形態による帽子が前記第２の実施の形態による帽子と異なる所は、以下に説明する点のみである。
【００４７】
図面には示していないが、本実施の形態では、発光部２の支持体３２には、１つの筆記時の手元照明用のＬＥＤ３及び２つの対面者照明用のＬＥＤ４に代えて、両方の用途を兼用する単一のＬＥＤ６１が設けられている。このＬＥＤ６１としては、照射角度が比較的広いものが用いられている。そして、本実施の形態では、図８中の抵抗９，１０に代えて抵抗６２，６３が設けられ、抵抗６２，６３が図１０に示すように配線されている。抵抗６２は、基準角度に対して俯角側でオンする水銀スイッチ５がオンしたときにＬＥＤ６１に流れる電流を制限する。抵抗６３は、基準角度に対して仰角側でオンする水銀スイッチ６がオンしたときにＬＥＤ６１に流れる電流を制限する。抵抗６２の抵抗値は、抵抗６３の抵抗値よりも小さく設定され、それらの値を適切に設定することで、水銀スイッチ５がオンしたときに筆記に必要な光度が十分に大きい照明光がＬＥＤ６１から照射され、水銀スイッチ６がオンしたときに対面者の眩しさが低減されるような照射光がＬＥＤ６１から照射されるようになっている。なお、ＬＥＤ６１の数は１つに限定されるものではなく、２つ以上でもよい。この場合、２つ以上のＬＥＤ６１は例えば直列接続しておけばよい。
【００４８】
本実施の形態によれば、夜間等において照明を要する場合には、電源スイッチ３１をオンにする。その結果、当該帽子を被った人が筆記時に手元付近を見ると、水銀スイッチ５がオンする一方水銀スイッチ６がオフするので、ＬＥＤ６１に比較的大きい電流が流れてＬＥＤ６１が明るく点灯し、ＬＥＤ６１によって筆記に適した照明が、ハンズフリーで行われる。これに対し、当該帽子を被った人が対面者を見ると、水銀スイッチ５がオフする一方水銀スイッチ６がオンするので、ＬＥＤ６１に比較的小さい電流が流れてＬＥＤ６１が光度を抑えて点灯し、ＬＥＤ６１によって対面者に眩しさをさほど感じさせないようなソフトな照明がハンズフリーで行われる。
【００４９】
したがって、本実施の形態によれば、前記各実施の形態と同様に、帽子１を被った人が、対面者と話しをしながらメモを取る際などにおいて、手元を見るときと対面者を見るときとでそれぞれの状況に合わせた最適化された照明が、自動的にハンズフリーで行われる。このため、本実施の形態によっても、帽子を被った人がいずれの方向を見ても常に同じ状態の照明光が照射されてしまうことによる不都合を解消することができる。
【００５０】
また、本実施の形態によれば、ＬＥＤ６１の数が１つですむので、コストダウンと小型化を図ることができる。
【００５１】
なお、前記第２の実施の形態を変形して照明装置の全ての構成要素を１つの筐体に集約して前記第３の実施の形態を得たのと同様に、本実施の形態を変形して照明装置の全ての構成要素を１つの筐体に集約してもよい。
【００５２】
以上、本発明の各実施の形態及び変形例について説明したが、本発明はこれらに限定されるものではない。
【００５３】
例えば、前述した各実施の形態では発光部の光源としてＬＥＤを用いられていたが、他の光源を用いてもよい。
【００５４】
また、前述した各実施の形態は、夜間等において当該帽子を被った人が対面者と対面しながら手帳にメモを取るのに適したものであったが、本発明による照明装置及び帽子はこのような用途に限定されるものではない。例えば、本発明では、釣り人が手元を見て針にエサを付ける場合と釣り竿を振り上げたときに竿先を見る場合とで、それぞれに適した互いに異なる照明光を照射するように構成してもよい。
【００５５】
さらに、前述した各実施の形態では、傾斜状態に応じて２段階に照明光の状態が切り替わるように構成されていたが、本発明では、用途によっては、傾斜城田いに応じて３段階以上に照明光の状態が切り替わるように構成してもよい。
【図面の簡単な説明】
【００５６】
【図１】本発明の第１の実施の形態による帽子を模式的に示す概略左側面図である。
【図２】図１に示す帽子における発光部が取り付けられたひさしの先端側付近を示す図である。
【図３】図２（ｂ）中のＡ矢視図である。
【図４】図１に示す帽子に装着された照明装置を示す電気回路図である。
【図５】本発明の第１の実施の形態を変形した変形例による照明装置を示す電気回路図である。
【図６】本発明の第２の実施の形態による帽子を模式的に示す概略左側面図である。
【図７】図６（ａ）中のＢ矢視図である。
【図８】図６に示す帽子に装着された照明装置を示す電気回路図である。
【図９】本発明の第３の実施の形態による帽子及びこれに装着される照明装置を模式的に示す図である。
【図１０】本発明の第４の実施の形態による帽子に装着された照明装置を示す電気回路図である。
【符号の説明】
【００５７】
１  帽子
２  発光部
３，４，６１  ＬＥＤ
５，６  水銀スイッチ
【図１】
2008210547.tif 000003
【図２】
2008210547.tif 000004
【図３】
2008210547.tif 000005
【図４】
2008210547.tif 000006
【図５】
2008210547.tif 000007
【図６】
2008210547.tif 000008
【図７】
2008210547.tif 000009
【図８】
2008210547.tif 000010
【図９】
2008210547.tif 000011
【図１０】
2008210547.tif 000012